(57)【要約】【課題】  ディスク状記録媒体の傷付きや損傷を防止すると共にディスク状記録媒体の押さえバネによる安定した保持状態を確保する。【解決手段】  複数のディスク状記録媒体が中心軸の軸方向において並んで内部に収納可能とされると共にディスク状記録媒体の記録面に平行なベース面部を有する第１のシェルとディスク状記録媒体の記録面に平行な基面部を有する第２のシェルとが軸方向において離接することにより結合又は分離されるケース体と、ケース体に取り付けられる被取付部とディスク状記録媒体の外周面に接してディスク状記録媒体を押さえる押さえ部とを有する押さえバネとを備え、押さえバネが樹脂材料によって形成された。【選択図】        図１５
2014099223.tif 000002
【特許請求の範囲】
【請求項１】
複数のディスク状記録媒体が中心軸の軸方向において並んで内部に収納可能とされると共にディスク状記録媒体の記録面に平行なベース面部を有する第１のシェルとディスク状記録媒体の記録面に平行な基面部を有する第２のシェルとが前記軸方向において離接することにより結合又は分離されるケース体と、
前記ケース体に取り付けられる被取付部と前記ディスク状記録媒体の外周面に接して前記ディスク状記録媒体を押さえる押さえ部とを有する押さえバネとを備え、
前記押さえバネが樹脂材料によって形成された
ディスクカートリッジ。
【請求項２】
前記押さえ部が前記ディスク状記録媒体の並ぶ方向に離隔して複数設けられ前記複数の押さえ部がそれぞれディスク状記録媒体に接触可能とされた
請求項１に記載のディスクカートリッジ。
【請求項３】
前記複数の押さえ部のうち少なくとも二つの押さえ部の前記各ディスク状記録媒体に対して付与される押圧力を異ならせるようにした
請求項２に記載のディスクカートリッジ。
【請求項４】
前記押さえ部が前記ディスク状記録媒体の記録面を覆うカバー層以外の部分に接触されるようにした
請求項１に記載のディスクカートリッジ。
【請求項５】
前記押さえ部が前記ディスク状記録媒体に線接触されるようにした
請求項１に記載のディスクカートリッジ。
【発明の詳細な説明】
【技術分野】
【０００１】
本技術はディスクカートリッジについての技術分野に関する。詳しくは、第１のシェルと第２のシェルが分離可能なケース体とディスク状記録媒体を押さえる押さえバネとを備えたディスクカートリッジについての技術分野に関する。
【先行技術文献】
【特許文献】
【０００２】
【特許文献１】特開平２−５３２７６号公報
【背景技術】
【０００３】
複数のディスク状記録媒体が中心軸の軸方向において並んで内部に収納可能とされたディスクカートリッジがある。このようなディスクカートリッジは、例えば、音楽再生用のディスク再生装置に用いられ、所望のディスク状記録媒体が取出機構によって取り出されてディスク状記録媒体に記録されている音楽データーの演奏が行われる。
【０００４】
また、近年、ディスク状記録媒体の記録容量の飛躍的な増大が図られ、記録容量の大きな複数のディスク状記録媒体が中心軸の軸方向において並んで収納可能とされデーターセンター等において用いられるディスクカートリッジの必要性も高まっている。
【０００５】
上記のようなディスクカートリッジには、各ディスク状記録媒体の外周部が一対の保持溝に挿入された状態で収納されるタイプがある。このようなタイプのディスクカートリッジはディスク状記録媒体を保持するディスクトレイを必要としないため、収納スペースが小さく小型化を図ることができると共に収納枚数を増やして保存するデーター量の増加を図ることも可能である。
【０００６】
また、ディスクカートリッジにあっては、ケース体が分離可能な第１のシェルと第２のシェルを有し、第１のシェルと第２のシェルの分離状態においてケース体に対するディスク状記録媒体の収納及び取出が行われるタイプがある（例えば、特許文献１参照）。
【０００７】
特許文献１に記載されたディスクカートリッジにあっては、ケース体に押さえバネ（保持バネ）が取り付けられており、押さえバネの各押さえ部によってケース体に収納された各ディスク状記録媒体が押さえられて所定の位置に保持されている。
【発明の概要】
【発明が解決しようとする課題】
【０００８】
ところが、上記のようなケース体に収納されたディスク状記録媒体が押さえバネによって押さえられるタイプのディスクカートリッジにおいては、押さえバネとの接触によるディスク状記録媒体の傷付きや損傷を防止する必要がある。
【０００９】
また、ディスク状記録媒体が所定の位置に保持されるようにするための適正な押圧力が押さえバネからディスク状記録媒体に付与される必要があるが、反面、ディスク状記録媒体の歪みや変形を生じないように押さえバネによる過度の押圧力がディスク状記録媒体に付与されないようにする必要もある。
【００１０】
そこで、本技術ディスクカートリッジは、上記した問題点を克服し、ディスク状記録媒体の傷付きや損傷を防止すると共にディスク状記録媒体の押さえバネによる安定した保持状態を確保することを課題とする。
【課題を解決するための手段】
【００１１】
第１に、ディスクカートリッジは、上記した課題を解決するために、複数のディスク状記録媒体が中心軸の軸方向において並んで内部に収納可能とされると共にディスク状記録媒体の記録面に平行なベース面部を有する第１のシェルとディスク状記録媒体の記録面に平行な基面部を有する第２のシェルとが前記軸方向において離接することにより結合又は分離されるケース体と、前記ケース体に取り付けられる被取付部と前記ディスク状記録媒体の外周面に接して前記ディスク状記録媒体を押さえる押さえ部とを有する押さえバネとを備え、前記押さえバネが樹脂材料によって形成されたものである。
【００１２】
従って、ディスクカートリッジにあっては、樹脂材料によって形成された押さえバネの押さえ部によってディスク状記録媒体が押さえられてケース体の内部において保持される。
【００１３】
第２に、上記したディスクカートリッジにおいては、前記押さえ部が前記ディスク状記録媒体の並ぶ方向に離隔して複数設けられ前記複数の押さえ部がそれぞれディスク状記録媒体に接触可能とされることが望ましい。
【００１４】
押さえ部がディスク状記録媒体の並ぶ方向に離隔して複数設けられ複数の押さえ部がそれぞれディスク状記録媒体に接触可能とされることにより、各ディスク状記録媒体に対してそれぞれ押さえ部による適正な押さえ力が付与される。
【００１５】
第３に、上記したディスクカートリッジにおいては、前記複数の押さえ部のうち少なくとも二つの押さえ部の前記各ディスク状記録媒体に対して付与される押圧力を異ならせることが望ましい。
【００１６】
複数の押さえ部のうち少なくとも二つの押さえ部の各ディスク状記録媒体に対して付与される押圧力を異ならせることにより、ケース体による保持力と押さえ部による押さえる力との合計が各ディスク状記録媒体において略均等になる。
【００１７】
第４に、上記したディスクカートリッジにおいては、前記押さえ部が前記ディスク状記録媒体の記録面を覆うカバー層以外の部分に接触されることが望ましい。
【００１８】
押さえ部がディスク状記録媒体の記録面を覆うカバー層以外の部分に接触されることにより、ディスク状記録媒体の記録面に歪みが発生し難い。
【００１９】
第５に、上記したディスクカートリッジにおいては、前記押さえ部が前記ディスク状記録媒体に線接触されることが望ましい。
【００２０】
押さえ部がディスク状記録媒体に線接触されることにより、ディスク状記録媒体が押さえ部によって安定した状態で押さえられる。
【発明の効果】
【００２１】
本技術ディスクカートリッジは、複数のディスク状記録媒体が中心軸の軸方向において並んで内部に収納可能とされると共にディスク状記録媒体の記録面に平行なベース面部を有する第１のシェルとディスク状記録媒体の記録面に平行な基面部を有する第２のシェルとが前記軸方向において離接することにより結合又は分離されるケース体と、前記ケース体に取り付けられる被取付部と前記ディスク状記録媒体の外周面に接して前記ディスク状記録媒体を押さえる押さえ部とを有する押さえバネとを備え、前記押さえバネが樹脂材料によって形成されている。
【００２２】
従って、押さえバネの良好な成形性が確保され押さえバネを所望の形状及び大きさに形成することができ、ディスク状記録媒体の傷付きや損傷を防止することができると共にディスク状記録媒体の押さえバネによる安定した保持状態を確保することができる。
【００２３】
請求項２に記載した技術にあっては、前記押さえ部が前記ディスク状記録媒体の並ぶ方向に離隔して複数設けられ前記複数の押さえ部がそれぞれディスク状記録媒体に接触可能とされている。
【００２４】
従って、各ディスク状記録媒体に対してそれぞれ適正な押さえ力を付与することが可能であり、各ディスク状記録媒体のケース体における安定した収納状態を確保することができる。
【００２５】
請求項３に記載した技術にあっては、前記複数の押さえ部のうち少なくとも二つの押さえ部の前記各ディスク状記録媒体に対して付与される押圧力を異ならせるようにしている。
【００２６】
従って、ケース体による保持力と押さえ部による押さえる力との合計が、ディスク状記録媒体において略均等になり、各ディスク状記録媒体のケース体における安定した収納状態を確保することができる。
【００２７】
請求項４に記載した技術にあっては、前記押さえ部が前記ディスク状記録媒体の記録面を覆うカバー層以外の部分に接触されるようにしている。
【００２８】
従って、ディスク状記録媒体の記録面に歪みが発生し難く、ディスク状記録媒体の良好な記録再生動作を確保することができる。
【００２９】
請求項５に記載した技術にあっては、前記押さえ部が前記ディスク状記録媒体に線接触されるようにしている。
【００３０】
従って、ディスク状記録媒体の押さえバネによる安定した押さえ状態を確保することができると共にディスク状記録媒体の記録面の歪みの発生を抑制することができる。
【図面の簡単な説明】
【００３１】
【図１】図２乃至図３１と共に本技術ディスクカートリッジの実施の形態を示すものであり、本図は、ディスクカートリッジの斜視図である。
【図２】第１のシェルと第２のシェルが分離した状態を示すディスクカートリッジの斜視図である。
【図３】図２とは別の方向から見た状態で第１のシェルと第２のシェルが分離した状態を示すディスクカートリッジの斜視図である。
【図４】ディスクカートリッジの分解斜視図である。
【図５】図４とは別の方向から見た状態で示すディスクカートリッジの分解斜視図である。
【図６】第１のシェルに形成された位置決め凹部を示す拡大斜視図である。
【図７】ロックレバーの拡大斜視図である。
【図８】支持軸に支持されたロックレバーを付勢バネとともに示す拡大斜視図である。
【図９】ロックスライダーの拡大斜視図である。
【図１０】第２のシェルとブリッジ部材と押さえバネとディスク状記録媒体を示す分解斜視図である。
【図１１】第２のシェルに設けられた一方の位置決め突部を示す拡大斜視図である。
【図１２】第２のシェルに設けられた他方の位置決め突部を示す拡大斜視図である。
【図１３】位置決め突部の拡大側面図である。
【図１４】位置決め突部の拡大背面図である。
【図１５】押さえバネの拡大斜視図である。
【図１６】押さえバネの押さえ部を示す拡大断面図である。
【図１７】押さえバネの各押さえ部の位置関係を概念的に示す拡大側面図である。
【図１８】第２のシェルと各ディスク状記録媒体の状態を概念的に示す正面図である。
【図１９】ブリッジ部材が第２のシェルに取り付けられた状態を示す拡大断面図である。
【図２０】ディスク状記録媒体が正規の位置に位置決めされて保持されている状態を示す拡大断面図である。
【図２１】ロックレバーによって第１のシェルと第２のシェルがロックされている状態を示す拡大断面図である。
【図２２】ロックスライダーによって第１のシェルと第２のシェルがロックされている状態を示す拡大断面図である。
【図２３】ディスク状記録媒体の外周面に押さえバネの押さえ部が接している状態を示す拡大断面図である。
【図２４】ディスクカートリッジと保持機構を示す斜視図である。
【図２５】ディスクカートリッジと保持機構を示す底面図である。
【図２６】保持機構によって第１のシェルと第２のシェルのロックが解除される直前の状態を示す断面図である。
【図２７】保持機構によって第１のシェルと第２のシェルのロックが解除される直前の状態を示す拡大断面図である。
【図２８】保持機構によって第１のシェルと第２のシェルのロックが解除された状態を示す断面図である。
【図２９】保持機構によって第１のシェルと第２のシェルのロックが解除された状態を示す拡大断面図である。
【図３０】保持機構によってロックスライダーによるロックが解除された状態を示す拡大断面図である。
【図３１】保持機構によってロックスライダーによるロックが解除され第１のシェルと第２のシェルが分離された状態を示す拡大断面図である。
【発明を実施するための形態】
【００３２】
以下に、本技術ディスクカートリッジの実施の形態を添付図面に従って説明する。
【００３３】
以下の説明にあっては、ディスクカートリッジをディスクチェンジャーのカートリッジ挿脱口から挿入する方向を前方として前後上下左右の方向を示すものとする。また、以下には、必要に応じて前後方向を第１の方向とし左右方向を第２の方向として説明する。
【００３４】
尚、以下に示す前後上下左右の方向は説明の便宜上のものであり、本技術の実施に関しては、これらの方向に限定されることはない。
【００３５】
［全体構成］
ディスクカートリッジ１はケース体２の内部に所要の各部が配置されて成り、ケース体２は第１のシェル３と第２のシェル４を有している。ケース体２の内部には複数のディスク状記録媒体１００、１００、・・・が上下方向に等間隔で収納可能とされている。
【００３６】
第１のシェル３と第２のシェル４は、例えば、上下方向において結合又は分離可能とされている（図１乃至図３参照）。尚、ケース体２が縦長の状態とされている場合には、第１のシェル３と第２のシェル４は、左右方向において結合又は分離される。
【００３７】
第１のシェル３は樹脂材料によって形成され、ベース体５とベース体５の後端部に取り付けられた補助ベース６とが上下方向において結合されて成る。
【００３８】
ベース体５は、図４及び図５に示すように、上下方向を向くベース面部７とベース面部７の左右両端部からそれぞれ下方へ突出されたサイド面部８、８とベース面部７の後端部から下方へ突出されたリア面部９とベース面部７の下面側における後端部に設けられた補強部１０とを有している。
【００３９】
ベース面部７の中央部には下方へ突出された丸軸状のセンターピン１１が設けられている。ベース面部７の前端部には下方へ突出された押さえボス１２、１２が左右に離隔して設けられている。
【００４０】
ベース面部７の前端寄りの位置には下方へ突出された支持軸１３、１３が左右に離隔して設けられ、支持軸１３、１３はそれぞれ上端部がバネ支持部１３ａ、１３ａとして設けられ、上端部以外の部分がバネ支持部１３ａ、１３ａより径の小さいレバー支持部１３ｂ、１３ｂとして設けられている。支持軸１３は軸方向に直交する断面形状が円形状に形成されている。
【００４１】
ベース面部７の下面における支持軸１３、１３の近傍の位置には、それぞれバネ掛け突部１４、１４が設けられている。
【００４２】
サイド面部８、８の後端寄りの位置には、それぞれ下方に開口された支持凹部８ａ、８ａが形成されている。
【００４３】
補強部１０は、前方側に位置し略前方を向く外壁１５と、外壁１５の左右両端部からそれぞれ後方へ突出された側壁１６、１６とから成り、下方に開口されている。側壁１６、１６は後端部がそれぞれリア面部９の左右両端寄りの部分に連続されている。
【００４４】
外壁１５は左右両端部が一部を除いてそれぞれ前方を向く平面部１５ａ、１５ａとして設けられ平面部１５ａ、１５ａ間の部分が前方に凹の緩やかな円弧状に形成された規制部１５ｂとして設けられている。規制部１５ｂの曲率はディスク状記録媒体１００の外周面の曲率と略同じにされている。
【００４５】
補強部１０には平面部１５ａ、１５ａにそれぞれ前方又は前方及び側方に開口された凹部１０ａ、１０ａが形成されている。
【００４６】
補助ベース６は横長の底面板１７と底面板１７の左右両端部からそれぞれ上方へ突出された側面板１８、１８と底面板１７の後端部から上方へ突出された後面板１９と底面板１７の前端部から上方へ突出された前面板２０とを有し、上方に開口されている。補助ベース６は補強部１０と同様に第１のシェル３を補強し第１のシェル３の強度を高める補強部として機能する。
【００４７】
底面板１７の後端部における下面側には浅い凹状部１７ａが形成されている。
【００４８】
前面板２０は左右両端部が一部を除いてそれぞれ前方を向く平面部２０ａ、２０ａとして設けられ平面部２０ａ、２０ａ間の部分が前方に凹の緩やかな円弧状に形成された規制部２０ｂとして設けられている。前面板２０は第１のシェル３のベース体５における補強部１０の外壁１５と略同じ大きさ及び形状に形成されている。
【００４９】
補助ベース６には平面部２０ａ、２０ａにそれぞれ前方又は前方及び側方に開口された凹部６ａ、６ａが形成されている。補助ベース６の左右両端部における下端部にはそれぞれ側方及び下方に開口された溝状の把持部６ｂ、６ｂが形成されている。
【００５０】
補助ベース６には左右両端寄りの位置にそれぞれ互いに近付く方向（側方）及び上下に開口された位置決め凹部２１、２１が形成され、位置決め凹部２１、２１は上下に延びる溝状に形成されている（図４乃至図６参照）。位置決め凹部２１は凹部６ａに開口され、下端部を除いた部分が溝幅が一定の同幅部２２として形成され、下端部が同幅部２２より溝幅が大きい幅変位部２３として形成されている。
【００５１】
幅変位部２３は位置決め凹部２１の下側開口縁２１ａに近付くに従って前後方向及び左右方向とも幅が大きくなるように形成されている。
【００５２】
補助ベース６はベース体５にネジ止め等によって取り付けられる。補助ベース６がベース体５に取り付けられた状態においては、補助ベース６と補強部１０、サイド面部８、８及びリア面部９とが重ね合わされ、内部に空間が形成される。このとき、ベース体５の外壁１５と補助ベース６の前面板２０が重ね合わされる。
【００５３】
また、補助ベース６がベース体５に取り付けられた状態においては、ベース体５の支持凹部８ａ、８ａがそれぞれスライダー支持部３ａ、３ａとして形成される（図２及び図３参照）。さらに、ベース体５の凹部１０ａ、１０ａと補助ベース６の凹部６ａ、６ａとがそれぞれ上下に対応して位置されてそれぞれ挿入凹部３ｂ、３ｂが形成される。
【００５４】
第１のシェル３の支持軸１３、１３にはそれぞれロックレバー２４、２４が回動自在に支持される（図３乃至図５参照）。
【００５５】
ロックレバー２４は、図７に示すように、支持軸１３が挿入されて支持される筒状の被支持部２５と、被支持部２５の略上半部から突出されたロック部２６と、被支持部２５の略下半部から突出されたロック解除部２７と、ロック部２６から突出されたバネ支持突部２８と、ロック部２６の前端部から突出された係合突部２９とから成る。
【００５６】
被支持部２５は軸方向に直交する断面形状が長円状に形成され、内側に被挿入穴２５ａを有している。被挿入穴２５ａは軸方向に直交する断面形状が長円状に形成されている。
【００５７】
ロック部２６は被支持部２５から略前方へ突出されている。ロック部２６は外周面（前方側の面）が被支持部２５の中心軸を中心とした円弧面状に形成され、先端部に側方へ突出されたロック用突部２６ａを有している。ロック用突部２６ａは先端に行くに従って外形が小さくなる先細りの形状に形成されている。
【００５８】
ロック解除部２７は被支持部２５から斜め前方へ突出されている。
【００５９】
バネ支持突部２８はロック部２６から上方へ突出され、ロック解除部２７が位置する側に設けられている。
【００６０】
係合突部２９はロック用突部２６ａの外周面から突出されている。
【００６１】
ロックレバー２４、２４はそれぞれ被支持部２５、２５に支持軸１３、１３のレバー支持部１３ｂ、１３ｂが挿入され支持軸１３、１３の各中心軸を中心として回動可能とされる（図８参照）。ロックレバー２４、２４が支持軸１３、１３に支持された状態において、ロックレバー２４、２４は付勢バネ３０、３０によってロック部２６、２６のロック用突部２６ａ、２６ａがそれぞれサイド面部８、８に近付く方向へ付勢される。
【００６２】
付勢バネ３０は、例えば、捩じりコイルバネであり、コイル部３０ａとコイル部３０ａからそれぞれ突出された一対の腕部３０ｂ、３０ｃとから成る。付勢バネ３０は、コイル部３０ａが支持軸１３のバネ支持部１３ａに支持され、一方の腕部３０ｂが第１のシェル３のベース面部７に設けられたバネ掛け突部１４に係合され、他方の腕部３０ｃがロックレバー２４のバネ支持突部２８に係合される。
【００６３】
第１のシェル３のスライダー支持部３ａ、３ａにはそれぞれロックスライダー３１、３１が前後方向へスライド自在に支持される（図３乃至図５参照）。
【００６４】
ロックスライダー３１は、図９に示すように、前後に延びる被支持部３２と被支持部３２の後端部から内方へ突出されたロック部３３とロック部３３の後面から後方へ突出されたバネ支持軸部３４とロック部３３の後半部から上下に突出された突状部３５、３５とから成る。
【００６５】
ロックスライダー３１、３１は被支持部３２、３２とロック部３３、３３がそれぞれ第１のシェル３のスライダー支持部３ａ、３ａにスライド自在に支持され、バネ支持軸部３４、３４にそれぞれコイルバネ３６、３６が支持される。コイルバネ３６は両端がそれぞれロック部３３の後面とスライダー支持部３ａを形成する後面とに接する。従って、ロックスライダー３１はコイルバネ３６によって前方へ付勢される。
【００６６】
第１のシェル３の前端部には開閉パネル３７がネジ止めによって取り付けられている（図１乃至図３参照）。開閉パネル３７は樹脂材料によって形成され、図４及び図５に示すように、前後方向を向く横長の矩形の板状に形成されたパネル部３８とパネル部３８の後面における下端部から後方へ突出された被取付突部３９、３９とパネル部３８の後面に設けられた押し当て部４０、４０とを有している。
【００６７】
パネル部３８の後面には後方に開口された挿入用凹部３８ａ、３８ａが左右に離隔して形成されている。挿入用凹部３８ａ、３８ａは円弧状の凹部として形成されている。パネル部３８の左右両端部にはそれぞれ外方に開口された挿入用切欠３８ｂ、３８ｂが形成されている。パネル部３８には後方へ突出された被挿入用突部３８ｃ、３８ｃが設けられている。被挿入用突部３８ｃは上下方向から見て三角形状に形成され、先端面が外側から内側へ行くに従って前方へ変位する傾斜面に形成されている。
【００６８】
パネル部３８には挿入用凹部３８ａ、３８ａのそれぞれ外側に前方に開口された係合溝３８ｄ、３８ｄが形成されている。
【００６９】
被取付突部３９、３９は左右に離隔して設けられ、押し当て部４０、４０はそれぞれ被取付突部３９、３９の内側において左右に離隔して設けられている。被取付部３９、３９はそれぞれ被挿入用突部３８ｃ、３８ｃの下側に設けられている。
【００７０】
開閉パネル３７には左右に離隔して挿入孔３７ａ、３７ａが形成されている。挿入孔３７ａ、３７ａは被挿入用突部３８ｃ、３８ｃの内側に形成されている。
【００７１】
パネル部３８の後面（内面）の左右方向における中央部には磁性板４１が取り付けられている。尚、磁性板４１は磁性を有するものであればよく、例えば、マグネットであってもよい。
【００７２】
開閉パネル３７は、被取付突部３９、３９の先端部がそれぞれベース面部７に設けられた支持軸１３、１３の下面にネジ止めされ、押し当て部４０、４０がそれぞれベース面部７に設けられた押さえボス１２、１２の下面に押し当てられ、第１のシェル３に取り付けられる。
【００７３】
開閉パネル３７が第１のシェル３に取り付けられた状態においては、被取付突部３９、３９がそれぞれ支持軸１３、１３の下方においてネジ止めされており、支持軸１３、１３に支持されたロックレバー２４、２４及び付勢バネ３０、３０の支持軸１３、１３からの脱落が防止される。被取付突部３９、３９がそれぞれ支持軸１３、１３に取り付けられた状態においては、ロックレバー２４、２４におけるロック部２６、２６の下面に被取付突部３９、３９の上面が近接して位置される。
【００７４】
開閉パネル３７が第１のシェル３に取り付けられた状態において、挿入孔３７ａ、３７ａの真後ろにそれぞれロックレバー２４、２４のロック解除部２７、２７が位置される。
【００７５】
第２のシェル４は樹脂材料によって形成され、上下方向を向く基面部４２と基面部４２の左右両端部からそれぞれ上方へ突出された側面部４３、４３が一体に形成されて成る（図３、図５及び図１０参照）。
【００７６】
基面部４２の左右方向における中央部は他の部分より僅かに厚みが薄くされた薄肉部４２ａとして設けられている。薄肉部４２ａは上方に凹の段差面として形成されている。
【００７７】
側面部４３は外側壁部４４と外側壁部４４の内側に位置する内側壁部４５とから成り、外側壁部４４と内側壁部４５の間には前後に離隔する複数の一定の隙間が形成されている。
【００７８】
外側壁部４４は高さが内側壁部４５の高さの略半分にされ、上面が内側壁部４５の上面より低くされている。
【００７９】
内側壁部４５は前後に延びる直線部４６と直線部４６の後端寄りの位置に連続し後方へ行くに従って内側へ変位する円弧状に形成された円弧部４７とを有している。
【００８０】
内側壁部４５の前端部には前方に開口され左右に貫通された第１のロック用凹部４５ａが形成されている。内側壁部４５の直線部４６における後端寄りの位置には後方及び外方に開口された第２のロック用凹部４５ｂが形成されている。
【００８１】
内側壁部４５の後端寄りの位置には上方に開口された取付穴４５ｃが形成されている。内側壁部４５の上面には取付穴４５ｃの周囲の部分に他の部分より僅かに高さが低くされた段差面４５ｄが形成されている。
【００８２】
内側壁部４５の直線部４６の外面には前後に離隔し上下に延びるリブ４６ａ、４６ａ、・・・が設けられ、リブ４６ａ、４６ａ、・・・の外面がそれぞれ外側壁部４４の内面に連続されている。
【００８３】
内側壁部４５の内面には保持溝４５ｅ、４５ｅ、・・・が形成され、保持溝４５ｅ、４５ｅ、・・・は上下方向において等間隔に離隔して位置されている。内側壁部４５の後端部は後方へ突出された挿入突部４５ｆとして設けられている。
【００８４】
挿入突部４５ｆ、４５ｆの後端部又は後端寄りの位置には外方（側方）へ突出された位置決め突部４８、４８が設けられている（図１１及び図１２参照）。
【００８５】
位置決め突部４８は上下方向に延び上半部４９の前後両面が上方へ行くに従って互いに近付く方向変位する第１の傾斜面４９ａ、４９ａとして形成されている（図１３参照）。従って、上半部４９は上方へ行くに従って厚み（第１の方向における幅）が薄くなるように形成されている。位置決め突部４８の下半部５０の厚みは上半部４９の下端の厚みと同じにされ一定にされている。
【００８６】
また、位置決め突部４８は上半部４９の外面が上方へ行くに従って内方へ緩やかに変位する第２の傾斜面４９ｂとして形成されている（図１３参照）。従って、上半部４９は上方へ行くに従って幅（第２の方向における幅）が小さくなるように形成されている。位置決め突部４８の下半部５０の幅は上半部４９の下端の幅と同じにされ一定にされている。
【００８７】
第２のシェル４の側面部４３、４３における一方の第１の傾斜面４９ａ、４９ａに対向する位置には、上方へ行くに従って前方へ変位するように傾斜された案内面４３ａ、４３ａが形成されている。
【００８８】
一方の内側壁部４５にはバネ取付凹部５１が形成されている。バネ取付凹部５１は上方に開口された挿入取付部５１ａと上方及び直線部４６の内面に開口された突出用凹部５１ｂとから成り、突出用凹部５１ｂは挿入取付部５１ａの後端部に連通されている。
【００８９】
バネ取付凹部５１には押さえバネ５２が挿入されて取り付けられている（図２及び図４参照）。押さえバネ５２は、図１５に示すように、縦長の板状の被取付部５３と被取付部５３の後縁から突出された押さえ部５４、５４、・・・とが樹脂材料によって一体に形成されて成る。押さえ部５４、５４、・・・は保持溝４５ｅ、４５ｅ、・・・の上下の間隔と同じ間隔で上下方向において等間隔に離隔して設けられ、保持溝４５ｅ、４５ｅ、・・・と同数が設けられている。
【００９０】
押さえ部５４の先端部には前後方向に対して稍傾斜された平面部５４ａが形成されている。押さえバネ５２は平面部５４ａの一部がディスク状記録媒体１００の外周面に線接触される。押さえ部５４は、図１６に示すように、平面部５４ａの下端部を除く部分が垂直な接触部５４ｂとして形成され、平面部５４ａの下端部が下方へ行くに従って平面部５４ａの背面側に変位する傾斜部５４ｃとして形成されている。
【００９１】
押さえバネ５２は被取付部５３が挿入取付部５１ａに挿入され押さえ部５４、５４、・・・が突出用凹部５１ｂに挿入されてバネ取付部５１に取り付けられる。押さえバネ５２がバネ取付部５１に取り付けられた状態においては、押さえ部５４、５４、・・・の平面部５４ａ、５４ａ、・・・が直線部４６の内側に突出される。
【００９２】
押さえバネ５２は、弾性変形される基端になる基端位置５４ｄ、５４ｄ、・・・が押さえ部５４、５４、・・・の少なくとも一部において変化され、被取付部５３に対する弾性変形のし易さが異なるようにされている（図１７参照）。即ち、ディスク状記録媒体１００、１００、・・・に対する押圧力が下方側に位置する押さえ部５４、５４、・・・より上方側に位置する押さえ部５４、５４、・・・の方が小さくなるようにされている。
【００９３】
上記したように、第２のシェル４は基面部４２と側面部４３、４３を有し、これらの各部が樹脂材料によって一体に形成されており、第２のシェル４は成形状態において側面部４３、４３が互いに近付く方向へ傾斜し易い状態とされている（図１８参照）。尚、図１８は、理解を容易にするために、側面部４３、４３の成形状態を誇張して示している。従って、外周部が保持溝４５ｅ、４５ｅ、・・・に挿入されて保持されるディスク状記録媒体１００、１００、・・・の側面部４３、４３による保持力が下方へ行くに従って小さくされている。
【００９４】
そこで、上記したように、ディスク状記録媒体１００、１００、・・・に対する押圧力が下方側に位置する押さえ部５４、５４、・・・より上方側に位置する押さえ部５４、５４、・・・の方が小さくなるようにすることにより、押さえ部５４、５４、・・・によってディスク状記録媒体１００、１００、・・・を押さえる力を下方側より上方側の方が小さくなるようにされている。
【００９５】
従って、側面部４３、４３による保持力と押さえ部５４、５４、・・・による押さえる力との合計が、ディスク状記録媒体１００、１００、・・・において略均等になり、各ディスク状記録媒体１００、１００、・・・のケース体２における安定した収納状態を確保することができる。
【００９６】
第２のシェル４の側面部４３、４３間にはブリッジ部材５５が取り付けられる（図２及び図１０参照）。
【００９７】
ブリッジ部材５５は板状の金属材料が所定の形状に折り曲げられて形成され、左右に延びる架け渡し部５５ａと架け渡し部５５ａの左右両端部からそれぞれ下方へ折り曲げられて形成された折曲部５５ｂ、５５ｂと折曲部５５ｂ、５５ｂの下縁からそれぞれ外方へ折り曲げられて形成された被取付面部５５ｃ、５５ｃとから成る。
【００９８】
ブリッジ部材５５は架け渡し部５５ａの厚みが第２のシェル４の内側壁部４５、４５に形成された段差面４５ｄ、４５ｄの深さと同じにされている。
【００９９】
ブリッジ部材５５は折曲部５５ｂ、５５ｂと被取付面部５５ｃ、５５ｃがそれぞれ内側壁部４５、４５の取付穴４５ｃ、４５ｃに挿入され被取付面部５５ｃ、５５ｃがネジ止め等によって第２のシェル４に取り付けられる。ブリッジ部材５５が第２のシェル４に取り付けられた状態においては、図１１及び図１９に示すように、架け渡し部５５ａの左右両端部がそれぞれ内側壁部４５、４５の段差面４５ｄ、４５ｄに配置され、架け渡し部５５ａの上面と内側壁部４５、４５の段差面４５ｄ、４５ｄ以外の部分の上面とが同一平面上に位置される。
【０１００】
上記したように、第２のシェル４は基面部４２の左右方向における中央部に薄肉部４２ａを有し、側面部４３、４３間にブリッジ部材５５が取り付けられている。
【０１０１】
このように基面部４２の左右方向における中央部に薄肉部４２ａを設けることにより、基面部４２の薄肉部４２ａ以外の部分の高い強度が確保され変形が生じ難く薄肉部４２ａに応力が集中し易いが、ブリッジ部材５５によって側面部４３、４３を連結しているため、第２のシェル４の全体としての高い強度を確保することができる。
【０１０２】
また、ブリッジ部材５５によって側面部４３、４３を連結しているため、側面部４３、４３間の距離が一定に保持され、側面部４３、４３に形成された保持溝４５ｅ、４５ｅ、・・・の位置精度が向上する。従って、保持溝４５ｅ、４５ｅ、・・・に保持されるディスク状記録媒体１００、１００、・・・の位置精度が向上し、ディスク状記録媒体１００、１００、・・・の良好な保持状態を確保することができる。
【０１０３】
さらに、第２のシェル４が樹脂材料によって形成され、ブリッジ部材５５が金属材料によって形成されている。従って、第２のシェル４の成形性の向上を図ることができると共に第２のシェル４の全体としての強度の一層の向上及び側面部４３、４３の位置精度の一層の向上を図ることができる。
【０１０４】
以上のように構成されたディスクカートリッジ１において、ディスク状記録媒体１００、１００、・・・がケース体２の内部に保持される（図２参照）。ディスク状記録媒体１００は第１のシェル３と第２のシェル４が分離された状態において、外周部が第２のシェル４の側面部４３、４３に形成された保持溝４５ｅ、４５ｅに前方から挿入されケース体２の内部に保持される。従って、第２のシェル４の前端に位置する開口はディスク状記録媒体１００、１００、・・・の第２のシェル４に対する挿入及び取出が行われるディスク挿脱口４ａとして形成される。
【０１０５】
第１のシェル３と第２のシェル４が結合され第１のシェル３に開閉パネル３７が取り付けられてケース体２が構成された状態においては、第１のシェル３におけるサイド面部８、８の下面と第２のシェル４における外側壁部４４、４４の上面との間にそれぞれ前後に延びる挿入溝２ａ、２ａが形成される（図１参照）。挿入溝２ａ、２ａは、後端がそれぞれ第１のシェル３のスライダー支持部３ａ、３ａに連続され、前端がそれぞれ開閉パネル３７のパネル部３８に形成された挿入用切欠３８ｂ、３８ｂに連続される。
【０１０６】
［ディスクカートリッジの結合動作及び分離動作］
以下に、ディスクカートリッジ１の結合動作及び分離動作について説明する（図２０乃至図３１参照）。
【０１０７】
先ず、第１のシェル３と第２のシェル４が結合されている状態について説明する（図２０乃至図２２参照）。
【０１０８】
第１のシェル３と第２のシェル４はベース体５のベース面部７と基面部４２が上下で対向した状態で結合されている。
【０１０９】
第１のシェル３と第２のシェル４が結合された状態においては、第１のシェル３の凹部１０ａ、１０ａと凹部６ａ、６ａによって形成された挿入凹部３ｂ、３ｂにそれぞれ第２のシェル４の内側壁部４５に設けられた挿入突部４５ｆ、４５ｆが挿入されている。このとき、第１のシェル３の位置決め凹部２１、２１にそれぞれ第２のシェル４の位置決め突部４８、４８が挿入され第１のシェル３と第２のシェル４の位置決めが行われている。
【０１１０】
第１のシェル３と第２のシェル４が結合された状態においては、ロックレバー２４、２４及びロックスライダー３１、３１によって第１のシェル３と第２のシェル４がロックされている。
【０１１１】
ロックレバー２４、２４は付勢バネ３０、３０の付勢力によってロック用突部２６ａ、２６ａが互いに離隔する方向（外方）における回動端に位置され（図２０及び図２１参照）、ロック用突部２６ａ、２６ａが第２のシェル４の側面部４３、４３にそれぞれ形成された第１のロック用凹部４５ａ、４５ａに挿入されて係合されている。このとき第１のロック用凹部４５ａ、４５ａはロック用突部２６ａ、２６ａによって隙間なく閉塞されている。
【０１１２】
ロックスライダー３１、３１はコイルバネ３６、３６の付勢力によって前方へ付勢され、突状部３５、３５の前面がそれぞれ側面部４３における後方を向く面に接して前方の移動端に位置されている（図２０及び図２２参照）。ロックスライダー３１、３１はロック部３３、３３が第２のシェル４の側面部４３、４３に形成された第２のロック用凹部４５ｂ、４５ｂに挿入されて係合されている。
【０１１３】
上記のように第１のシェル３と第２のシェル４が結合されてロックされディスク状記録媒体１００、１００、・・・がケース体２の内部に保持された状態においては、ディスク状記録媒体１００、１００、・・・の外周面の一部に押さえバネ５２の押さえ部５４、５４、・・・がそれぞれ接して押さえられている（図２０参照）。このとき保持溝４５ｅ、４５ｅ、・・・のうち、側面部４３、４３の円弧面部４７、４７にそれぞれ形成された部分にディスク状記録媒体１００、１００、・・・の外周面における他の部分が押し付けられディスク状記録媒体１００、１００、・・・がケース体２の内部において正規の位置に位置決めされている。
【０１１４】
ディスク状記録媒体１００、１００、・・・が正規の位置に位置決めされた状態においては、第１のシェル３の補強部１０に設けられた外壁１５の規制部１５ｂ又は補助ベース６に設けられた前面板２０の規制部２０ｂがディスク状記録媒体１００の外周面のうちの後端側の部分に近接して位置されている。
【０１１５】
上記したように、押さえバネ５２はディスク状記録媒体１００、１００、・・・の並ぶ方向に離隔して複数の押さえ部５４、５４、・・・が設けられているため、各ディスク状記録媒体１００、１００、・・・に対してそれぞれ適正な押さえ力を付与することが可能であり、各ディスク状記録媒体１００、１００、・・・のケース体２における安定した収納状態を確保することができる。
【０１１６】
ディスク状記録媒体１００は、例えば、基板１０１と基板１０１の下面に形成された記録面１０２を保護するカバー層１０３とを有している（図２３参照）。カバー層１０３は加工上、基板１０１の下面から外周面の一部に回り込むように形成されている。
【０１１７】
ディスク状記録媒体１００が押さえ部５４に押さえられた状態においては、押さえ部５４の接触部５４ｂがディスク状記録媒体１００の外周面における下端部を除く部分、即ち、カバー層１０３が形成されていない部分に線接触される。
【０１１８】
このように押さえ部５４がディスク状記録媒体１００のカバー層１０３以外の部分に接触されるため、記録面１０２に歪みが発生し難く、ディスク状記録媒体１００の良好な記録再生動作を確保することができる。
【０１１９】
また、押さえ部５４の接触部５４ｂがディスク状記録媒体１００の外周面に線接触されるため、ディスク状記録媒体１００の安定した押さえ状態を確保することができると共に記録面１０２の歪みの発生を抑制することができる。
【０１２０】
第１のシェル３と第２のシェル４が結合された状態において、ロックレバー２４、２４のロック解除部２７、２７はそれぞれ付勢バネ３０、３０の付勢力によって開閉パネル３７の被挿入用突部３８ｃ、３８ｃの傾斜面に後方から押し付けられている（図２１参照）。
【０１２１】
また、第１のシェル３と第２のシェル４が結合された状態において、ロックレバー２４、２４におけるロック部２６、２６のロック用突部２６ａ、２６ａが第２のシェル４の側面部４３、４３に形成された第１のロック用凹部４５ａ、４５ａに挿入され第１のロック用凹部４５ａ、４５ａがロック用突部２６ａ、２６ａによって閉塞される。
【０１２２】
このとき係合突部２９、２９がそれぞれ開閉パネル３７のパネル部３８に形成された係合溝３８ｄ、３８ｄの開口縁に係合されている。従って、振動等によってロックレバー２４、２４にロック用突部２６ａ、２６ａが第１のロック用凹部４５ａ、４５ａから引き出される方向への力が付与された場合においても、ロックレバー２４、２４が不必要に回動されることがなく、第１のシェル３と第２のシェル４がロックされた状態が保持される。
【０１２３】
ロック部２６、２６はロック用突部２６ａ、２６ａが先細りの形状に形成されているため、ロック用突部２６ａ、２６ａがそれぞれ第１のロック用凹部４５ａ、４５ａの開口縁に密着し易くなり、ケース体２の内部における密閉性の向上を図ることができる。
【０１２４】
第１のシェル３と第２のシェル４が結合された状態においては、ディスク状記録媒体１００、１００、・・は中心孔１００ａ、１００ａ、・・・に第１のシェル３に設けられたセンターピン１１が挿入される（図２０参照）。このときディスク状記録媒体１００、１００、・・・の前端には開閉パネル３７のパネル部３８における内面が近接して位置されている。
【０１２５】
上記のように第１のシェル３と第２のシェル４が結合された状態において、例えば、ディスクカートリッジ１はディスクチェンジャーの図示しないカートリッジ挿脱口から挿入されディスクチェンジャーに設けられた保持機構６０に保持される（図２４参照）。
【０１２６】
保持機構６０は第１のケース保持部７０と第２のケース保持部８０とを有している。尚、図２４等には、第１のケース保持部７０と第２のケース保持部８０の概略構成を示している。
【０１２７】
第１のケース保持部７０は上下方向を向く矩形の板状の保持ベース７１に所要の各部が設けられて構成されている。
【０１２８】
保持ベース７１の前縁には下方へ突出され左右に離隔して位置する解除用押圧片７２、７２が設けられている。解除用押圧片７２は保持ベース７１に連続され前後方向を向く連結部７２ａと連結部７２ａの下縁から後方へ突出された押圧部７２ｂとから成る。
【０１２９】
保持ベース７１の左右両側縁における後端寄りの位置にはそれぞれ下方へ突出されたロック解除片７３、７３が設けられている。ロック解除片７３は保持ベース７１に連続され左右方向を向く連結部７３ａと連結部７３ａの下縁から内方へ突出された解除部７３ｂとから成る。
【０１３０】
保持ベース７１の左右両側縁における前端寄りの位置にはそれぞれ下方へ突出された補助片７４、７４が設けられている。補助片７４は保持ベース７１に連続され左右方向を向く連結部７４ａと連結部７４ａの下縁から内方へ突出された挿入部７４ｂとから成る。
【０１３１】
保持ベース７１の前縁には下方へ突出された突面部７５が設けられている。突面部７５は解除用押圧片７２、７２の間に位置され、突面部７５の後面に平板状の吸着部７６が取り付けられている。尚、吸着部７６は、ディスクカートリッジ１の開閉パネル３７に磁性板４１が取り付けられている場合にはマグネットが用いられ、開閉パネル３７にマグネットが取り付けられている場合には磁性板又はマグネットが用いられている。
【０１３２】
第２のケース保持部８０は、例えば、上下方向を向く矩形の板状の底壁部８１と底壁部８１の左右両側縁からそれぞれ上方へ突出された側壁部８２、８２とを有している。第２のケース保持部８０には図示しない複数の保持片が設けられている。
【０１３３】
ディスクカートリッジ１が、図２４に示すように、ディスクチェンジャーのカートリッジ挿脱口から挿入されていくと、第１のケース保持部７０における解除用押圧片７３、７３の解除部７３ｂ、７３ｂと補助片７４、７４の挿入部７４ｂ、７４ｂとがそれぞれ挿入溝２ａ、２ａに挿入されていく。尚、図２５以下の各図においては、第２のケース保持部８０の図示を省略している。
【０１３４】
さらにディスクカートリッジ１がカートリッジ挿脱口から挿入されていくと、第１のケース保持部７０における解除用押圧片７２、７２の押圧部７２ｂ、７２ｂがそれぞれ開閉パネル３７の挿入孔３７ａ、３７ａに挿入される（図２６及び図２７参照）。
【０１３５】
解除用押圧片７２の押圧部７２ｂが開閉パネル３７の挿入孔３７ａに挿入されると、押圧部７２ｂによってロックレバー２４のロック解除部２７が後方へ押圧される（図２８及び図２９参照）。
【０１３６】
ロックレバー２４は被挿入穴２５ａの軸方向に直交する断面形状が長円状に形成され、支持軸１３は軸方向に直交する断面形状が円形状に形成されている。従って、押圧部７２ｂによってロックレバー２４のロック解除部２７が後方へ押圧されたときには、ロックレバー２４が支持軸１３に対して後方へ移動され係合突部２９の開閉パネル３７に形成された係合溝３８ｄに対する係合が解除され、ロックレバー２４が回動可能な状態とされる。
【０１３７】
ロックレバー２４は押圧部７２ｂによって付勢バネ３０の付勢力に反して回動され、ロック部２６のロック用突部２６ａが第２のシェル４の第１のロック用凹部４５ａから引き出され、ロックレバー２４による第１のシェル３と第２のシェル４のロックが解除される。
【０１３８】
また、ロック解除片７３が挿入溝２ａに挿入され解除部７３ｂによってロックスライダー３１の被支持部３２が押圧されると、ロックスライダー３１はコイルバネ３６の付勢力に反して後方へ移動されロック部３３が第２のシェル４の第２のロック用凹部４５ｂから引き出される（図３０参照）。ロック部３３が第２のロック用凹部４５ｂから引き出されると、ロックスライダー３１による第１のシェル３と第２のシェル４のロックが解除される。ロックスライダー３１による第１のシェル３と第２のシェル４のロックの解除は、ロックレバー２４による第１のシェル３と第２のシェル４のロックの解除と同時に行われる。
【０１３９】
ロックレバー２４、２４とロックスライダー３１、３１による第１のシェル３と第２のシェル４のロックが解除されたときには、第１のシェル３が第１のケース保持部７０に保持された状態になる。また、このとき、同時に、第２のシェル４の所定の各部に第２のケース保持部８０の保持片が係合され、第２のシェル４が第２のケース保持部８０に保持された状態となる。
【０１４０】
第１のシェル３は開閉パネル３７に取り付けられた磁性板４１が第１のケース保持部７０の突面部７５に取り付けられた吸着部７６に吸着され、ディスクカートリッジ１が第１のケース保持部７０に対する前方の挿入端において保持される。
【０１４１】
上記のように、開閉パネル３７に磁性板４１が取り付けられることにより、磁性板４１が吸着部７６によって吸着され、第１のシェル３がガタツキを生じることなく第１のケース保持部７０に保持される。従って、第１のケース保持部７０に対する第１のシェル３の安定した保持状態を確保することができると共に保持された状態において第１のシェル３の第１のケース保持部７０に対する位置精度の向上を図ることができる。
【０１４２】
また、吸着部７６の磁性板４１に対する吸着力は両者の距離の二乗に比例して小さくなる。従って、上記のように、磁性板４１を開閉パネル３７の内面に取り付けることにより、第１のシェル３が第１のケース保持部７０から後方へ引き出されるときの力が小さく、第１のシェル３の第１のケース保持部７０に対する保持状態の解除を容易に行うことができる。
【０１４３】
上記のように、ロックレバー２４、２４とロックスライダー３１、３１による第１のシェル３と第２のシェル４のロックが解除され、第１のシェル３が第１のケース保持部７０に保持され、第２のシェル４が第２のケース保持部８０に保持されることにより、第１のシェル３と第２のシェル４が上下方向に分離可能な状態になる。
【０１４４】
第１のシェル３と第２のシェル４が上下方向に分離可能な状態において、例えば、第２のシェル４が第２のケース保持部８０の下方への移動に伴って下方へ移動されると（図３１参照）、収納されているディスク状記録媒体１００が図示しない取出機構によってケース体２から取り出される。
【０１４５】
上記のように第１のシェル３と第２のシェル４が分離された状態において、例えば、第２のケース保持部８０の上方への移動に伴って第２のシェル４が第１のシェル３に近付くように上方へ移動されることにより第１のシェル３と第２のシェル４を結合することが可能である。
【０１４６】
第２のシェル４が上方へ移動されていくと、第１のシェル３の位置決め凹部２１、２１にそれぞれ第２のシェル４の位置決め突部４８、４８が挿入されていき、第１のシェル３の凹部１０ａ、１０ａと凹部６ａ、６ａによって形成された挿入凹部３ｂ、３ｂにそれぞれ第２のシェル４の内側壁部４５に設けられた挿入突部４５ｆ、４５ｆが挿入されていく。
【０１４７】
第１のシェル３と第２のシェル４が結合されるときには、ロックレバー２４、２４がロックを解除した回動位置に保持され、ロックスライダー３１、３１がロックを解除した移動位置に保持されている（図２９及び図３０参照）。
【０１４８】
第２のシェル４が上方へ移動されて第１のシェル３に接し両者が後方へ移動されると、解除用押圧片７２、７２の押圧部７２ｂ、７２ｂによるロック解除部２７、２７に対する押圧が解除され、ロックレバー２４、２４がそれぞれ付勢バネ３０、３０の付勢力によって回動される。従って、ロック部２６、２６のロック用突部２６ａ、２６ａがそれぞれ第２のシェル４の第１のロック用凹部４５ａ、４５ａに挿入されて係合され、ロックレバー２４、２４による第１のシェル３と第２のシェル４のロックが行われる。
【０１４９】
また、第２のシェル４が上方へ移動されて第１のシェル３に接し両者が後方へ移動されるときには、ロック解除片７３、７３の解除部７３ｂ、７３ｂによる被支持部３２、３２に対する押圧が解除され、ロックスライダー３１、３１がそれぞれコイルバネ３６、３６の付勢力によって前方へ移動される。従って、ロック部３３、３３がそれぞれ第２のシェル４の第２のロック用凹部４５ｂ、４５ｂに挿入されて係合され、ロックスライダー３１、３１による第１のシェル３と第２のシェル４のロックが行われる。
【０１５０】
［まとめ］
以上に記載した通り、ディスクカートリッジ１にあっては、第１のシェル３と第２のシェル４のそれぞれに、分離時において両者の第１の方向と第２の方向における相対的な位置を許容し結合時において両者の第１の方向と第２の方向における相対的な位置を決定する位置決め凹部２１、２１と位置決め突部４８、４８が設けられている。
【０１５１】
従って、第１のシェル３と第２のシェル４がそれぞれ第１のケース保持部７０と第２のケース保持部８０に保持された状態で位置ずれが生じた場合においても、第１のシェル３と第２のシェル４の結合動作が行われるときに位置決め突部４８、４８がそれぞれ位置決め凹部２１、２１に挿入されて両者の相対的な位置決めが行われ、第１のシェル３と第２のシェル４の良好な結合状態を確保することができる。
【０１５２】
［本技術］
本技術は、以下のような構成にすることもできる。
【０１５３】
（１）
複数のディスク状記録媒体が中心軸の軸方向において並んで内部に収納可能とされると共にディスク状記録媒体の記録面に平行なベース面部を有する第１のシェルとディスク状記録媒体の記録面に平行な基面部を有する第２のシェルとが前記軸方向において離接することにより結合又は分離されるケース体と、
前記ケース体に取り付けられる被取付部と前記ディスク状記録媒体の外周面に接して前記ディスク状記録媒体を押さえる押さえ部とを有する押さえバネとを備え、
前記押さえバネが樹脂材料によって形成された
ディスクカートリッジ。
【０１５４】
（２）
前記押さえ部が前記ディスク状記録媒体の並ぶ方向に離隔して複数設けられ前記複数の押さえ部がそれぞれディスク状記録媒体に接触可能とされた
前記（１）に記載のディスクカートリッジ。
【０１５５】
（３）
前記複数の押さえ部のうち少なくとも二つの押さえ部の前記各ディスク状記録媒体に対して付与される押圧力を異ならせるようにした
前記（２）に記載のディスクカートリッジ。
【０１５６】
（４）
前記押さえ部が前記ディスク状記録媒体の記録面を覆うカバー層以外の部分に接触されるようにした
前記（１）から前記（３）の何れかに記載のディスクカートリッジ。
【０１５７】
（５）
前記押さえ部が前記ディスク状記録媒体に線接触されるようにした
前記（１）から前記（４）の何れかに記載のディスクカートリッジ。
【０１５８】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【符号の説明】
【０１５９】
１…ディスクカートリッジ、２…ケース体、３…第１のシェル、４…第２のシェル、７…ベース面部、４２…基面部、５２…押さえバネ、５３…被取付部、５４…押さえ部、１００…ディスク状記録媒体、１０２…記録面、１０３…カバー層
【図１】
2014099223.tif 000003
【図２】
2014099223.tif 000004
【図３】
2014099223.tif 000005
【図４】
2014099223.tif 000006
【図５】
2014099223.tif 000007
【図６】
2014099223.tif 000008
【図７】
2014099223.tif 000009
【図８】
2014099223.tif 000010
【図９】
2014099223.tif 000011
【図１０】
2014099223.tif 000012
【図１１】
2014099223.tif 000013
【図１２】
2014099223.tif 000014
【図１３】
2014099223.tif 000015
【図１４】
2014099223.tif 000016
【図１５】
2014099223.tif 000017
【図１６】
2014099223.tif 000018
【図１７】
2014099223.tif 000019
【図１８】
2014099223.tif 000020
【図１９】
2014099223.tif 000021
【図２０】
2014099223.tif 000022
【図２１】
2014099223.tif 000023
【図２２】
2014099223.tif 000024
【図２３】
2014099223.tif 000025
【図２４】
2014099223.tif 000026
【図２５】
2014099223.tif 000027
【図２６】
2014099223.tif 000028
【図２７】
2014099223.tif 000029
【図２８】
2014099223.tif 000030
【図２９】
2014099223.tif 000031
【図３０】
2014099223.tif 000032
【図３１】
2014099223.tif 000033